(57)【要約】【課題】デッキ材の側縁部からの突出部を無くし、取り扱い時におけるデッキ材の欠損を減少させ、且つフレーム上でのデッキ材の据え付けを効率良く行なえるようにしたデッキ材の取り付け構造を提供する。【解決手段】長尺状に作られ、幅方向両側には高さ方向中央部に水平に溝２が形成されているが、突出部分は存在しない構成となっているデッキ材１を用い、フレーム４上に載せられた隣り合うデッキ材１，１の互いに近接する溝２，２に連結板８の両側を嵌め込み、隣り合うデッキ材１，１間の隙間より連結板８に形成されているビス挿通孔８ａに挿通させたビス１３をドライバーなどの治具を用いて適当な箇所のフレーム材５にセットされた支持プレート７のねじ孔７ｄに螺入させて締め付けることによりデッキ材１がフレーム４上に固定されるようにした。【選択図】図３
2008045388.tif 000002
【特許請求の範囲】
【請求項１】
長尺状に作られ、幅方向両側には高さ方向中央部に水平に溝が形成されているが、突出部分は存在しない構成となっているデッキ材を用い、このデッキ材を受けるフレームはＣ型のアルミ型材からなる多数本のフレーム材を互いに平行に並べて作られており、このフレーム材の長さ方向に対しデッキ材の長さ方向が直交するようにデッキ材がフレーム上に載せられ、前記フレーム材の長さ方向に沿う開口部の上下に位置する折り曲げ片の端部には外面が円弧状のタップ孔が形成されており、互いに平行に並べられたフレーム材の内、適当な箇所のフレーム材には、上側に位置する折り曲げ片の下端のタップ孔の外側に係合する円弧状係合片と、この円弧状係合片との繋がり部における基部が前記上側に位置する鉛直方向に向く折り曲げ片の外面に当接して水平状態で保持される板部と、この板部の中央部に形成されたねじ孔を備えた金属製の支持プレートがセットされ、フレーム上に載せられた隣り合うデッキ材の互いに近接する前記溝に連結板の両側を嵌め込み、隣り合うデッキ材間の隙間より連結板に形成されているビス挿通孔に挿通させたビスをドライバーなどの治具を用いて前記支持プレートのねじ孔に螺入させて締め付けることによりデッキ材がフレーム上に固定されるようにしたことを特徴とするデッキ材の取り付け構造。
【請求項２】
隣り合うデッキ材の互いに近接する溝に両側が嵌り込む連結板には隣り合う各デッキ材の幅方向の端面に当接する２枚の互いに平行な間隔保持用板部が設けられていることを特徴とする請求項１記載のデッキ材の取り付け構造。
【発明の詳細な説明】
【技術分野】
【０００１】
本発明は、建物のバルコニーなどにおいてフレーム上に並べられて設けられるデッキ材の取り付け構造に関するものである。
【背景技術】
【０００２】
従来から建物のバルコニーなどのフレーム上に設けられるデッキ材としては、例えば特許文献１に開示されているようなデッキ材が知られている。
この特許文献１に開示されているものは、偏平な筒状の長尺体からなるデッキ材の一方の側縁部には、その表面板から水平に延出する上舌片と、その底板から上向き段差を経て水平に延出しその先端に上方に向けて立上り片を有する支持板とが形成され、他方の側縁部には上記一方の側縁部と逆相似して、その底板から水平に延出する底舌片と、その上端から下向き段差を経て水平に延出しその先端に下方に向けて係止突起を有する支持板とが形成され、上記両側縁部の立上り片を有する支持板と係止突起を有する支持板とにより幅調節しつつ連結が可能となされている。
【特許文献１】特開２０００−４５４９６号公報
【発明の開示】
【発明が解決しようとする課題】
【０００３】
上記特許文献１に開示されているデッキ材の構成では、デッキ材の一方の側縁部および他方の側縁部からそれぞれ支持板が突出した状態で形成されており、隣り合う一方のデッキ材の一方の側縁部の支持板と隣り合う他方のデッキ材の他方の側縁部の支持板とを係合させて隣り合うデッキ材同士を連結させるものであるが、デッキ材が合成樹脂製である場合、取り扱い時に他の金属部分などに強く接触した際に支持板が欠損しやすいという問題があった。
【０００４】
本発明の目的は、このような課題を解決するものであり、デッキ材の側縁部からの突出部を無くし、取り扱い時におけるデッキ材の欠損を減少させ、且つフレーム上でのデッキ材の据え付けを効率良く行なえるようにしたデッキ材の取り付け構造を提供することにある。
【課題を解決するための手段】
【０００５】
本発明の請求項１に記載のデッキ材の取り付け構造は、長尺状に作られ、幅方向両側には高さ方向中央部に水平に溝が形成されているが、突出部分は存在しない構成となっているデッキ材を用い、このデッキ材を受けるフレームはＣ型のアルミ型材からなる多数本のフレーム材を互いに平行に並べて作られており、このフレーム材の長さ方向に対しデッキ材の長さ方向が直交するようにデッキ材がフレーム上に載せられ、前記フレーム材の長さ方向に沿う開口部の上下に位置する折り曲げ片の端部には外面が円弧状のタップ孔が形成されており、互いに平行に並べられたフレーム材の内、適当な箇所のフレーム材には、上側に位置する折り曲げ片の下端のタップ孔の外側に係合する円弧状係合片と、この円弧状係合片との繋がり部における基部が前記上側に位置する鉛直方向に向く折り曲げ片の外面に当接して水平状態で保持される板部と、この板部の中央部に形成されたねじ孔を備えた金属製の支持プレートがセットされ、フレーム上に載せられた隣り合うデッキ材の互いに近接する前記溝に連結板の両側を嵌め込み、隣り合うデッキ材間の隙間より連結板に形成されているビス挿通孔に挿通させたビスをドライバーなどの治具を用いて前記支持プレートのねじ孔に螺入させて締め付けることによりデッキ材がフレーム上に固定されるようにしたことを特徴とする。
【０００６】
請求項２に記載のデッキ材の取り付け構造は、隣り合うデッキ材の互いに近接する溝に両側が嵌り込む連結板には隣り合う各デッキ材の幅方向の端面に当接する２枚の互いに平行な間隔保持用板部が設けられていることを特徴とする。
【発明の効果】
【０００７】
以上のように、本発明のデッキ材の取り付け構造において使用されるデッキ材には突出部分は存在せず、取り扱い時におけるデッキ材の欠損を減少させることができる。また、デッキ材の幅方向両側に高さ方向中央部において水平に形成された溝を利用して前記連結板、支持プレート、ビスなどによりデッキ材をフレーム上に効率良く簡単に取り付けることができるものである。また、連結板には隣り合う各デッキ材の幅方向の端面に当接する２枚の互いに平行な間隔保持用板部が設けられていることにより、隣り合うデッキ材間の間隔を一定に保持することができる。
【発明を実施するための最良の形態】
【０００８】
以下、本発明の実施の形態を、図面に基づき具体的に説明する。
先ず、図１〜図４に示す第１の実施の形態について説明すると、１は合成樹脂製もしくは木製のデッキ材で、長尺状に作られ、幅方向両側には高さ方向中央部に水平に溝２が形成されているが、突出部分は存在しない構成となっている。また、このデッキ材１の内部は空洞で、内部に補強リブ３が形成されている。４は前記デッキ材１を多数並べた状態で受けるフレームで、このフレーム４はＣ型のアルミ型材からなる多数本のフレーム材５を互いに平行に並べて作られており、このフレーム材５の長さ方向に対しデッキ材１の長さ方向が直交するようにデッキ材１が載せられる。前記フレーム材５の長さ方向に沿う開口部の上下に位置する折り曲げ片５ａ，５ｂの端部には外面が円弧状のタップ孔６ａ，６ｂが形成されている。７は互いに平行に並べられたフレーム材５の内、適当な箇所のフレーム材５の前記上側に位置する折り曲げ片５ａの下端のタップ孔６ａの外側に係合する円弧状係合片７ａと、この円弧状係合片７ａとの繋がり部における基部７ｂが前記上側に位置する鉛直方向に向く折り曲げ片５ａの外面に当接して水平状態で保持される板部７ｃと、この板部７ｃの中央部に形成されたねじ孔７ｄとを備えた金属製の支持プレートである。８は隣り合うデッキ材１，１の互いに近接する溝２，２に両側が嵌り込む金属製の連結板であり、この連結板８の中央部にビス挿通孔８ａが形成されている。９は互いに平行に並べられた多数本のフレーム材５の端部を多数本のフレーム材５同士を繋ぐように閉じる金属製の板体で、この板体９は各フレーム材５の端部より前記タップ孔６ａ，６ｂにビス１０を螺入することにより取り付けられる。そして、前記板体９の外側上端には前記多数並べられたデッキ材１の始端部に位置するデッキ材１の端部の溝２に嵌り込み多数並べられたデッキ材１の水平方向の動きを止める金属製の押さえ板１１がビス１２止めにより取り付けられる。押さえ板１１は上端に水平な折り曲げ片１１ａを備え、この折り曲げ片１１ａがデッキ材１の端部の溝２に嵌り込む。
【０００９】
次に、前記デッキ材１の取り付け手順について説明すると、前記フレーム４の端部にフレーム４上に最初に載せられる始端部に位置するデッキ材１の端部の溝２を前記押さえ板１１の折り曲げ片１１ａに係合させる。その状態で２枚目のデッキ材１を始端部に位置するデッキ材１に近接するようにフレーム４上に載せ、この隣り合うデッキ材１，１の互いに近接する溝２，２に前記連結板８の両側を嵌め込む。連結板８の下方において前記適当な箇所のフレーム材５に支持プレート７が予めセットされてあり、隣り合うデッキ材１，１間の隙間より連結板８のビス挿通孔８ａに挿通させたビス１３をドライバーなどの治具を用いて支持プレート７のねじ孔７ｄに螺入させて締め付けることによりデッキ材１がフレーム４上に固定される。このような作業を順番に繰り返し行ない、終端部に位置するデッキ材１の端部の溝２に前記押さえ板１１と同様の押さえ板の折り曲げ片を係合させてデッキ材１の取り付けが完了する。
【００１０】
ところで、以上述べた第１の実施の形態に用いた連結板８は平板状であるが、図５および図６に示す第２の実施の形態のように、隣り合うデッキ材１，１の互いに近接する溝２，２に両側が嵌り込む連結板８には隣り合う各デッキ材１，１の幅方向の端面に当接する２枚の互いに平行な間隔保持用板部１４，１４を下向きに突設し、このような連結板８を用いることにより間隔保持用板部１４，１４の外面が隣り合う各デッキ材１，１の幅方向の端面に当接して隣り合うデッキ材１，１間の間隔を一定に保持することができる。
【００１１】
連結板８の間隔保持用板部１４，１４は上向きに設けられていても良い。
【図面の簡単な説明】
【００１２】
【図１】本発明の第１の実施の形態におけるデッキ材の取り付け前の状態を示す正面図である。
【図２】同デッキ材の取り付けに使用する支持プレートの斜視図である。
【図３】同デッキ材の取り付け状態を示す正面図である。
【図４】図３のＸ−Ｘ断面図である。
【図５】本発明の第２の実施の形態におけるデッキ材の取り付けに使用される連結板の斜視図である。
【図６】同デッキ材の取り付け状態を示す正面図である。
【符号の説明】
【００１３】
１            デッキ材
２            溝
３            補強リブ
４            フレーム
５            フレーム材
５ａ，５ｂ    折り曲げ片
６ａ，６ｂ    タップ孔
７            支持プレート
７ａ          円弧状係合片
７ｂ          基部
７ｃ          板部
７ｄ          ねじ孔
８            連結板
８ａ          ビス挿通孔
９            板体
１０            ビス
１１            押さえ板
１１ａ          折り曲げ片
１２，１３      ビス
１４            間隔保持用板部
【図１】
2008045388.tif 000003
【図２】
2008045388.tif 000004
【図３】
2008045388.tif 000005
【図４】
2008045388.tif 000006
【図５】
2008045388.tif 000007
【図６】
2008045388.tif 000008